(57)【要約】【課題】従来、イコライザ回路の特性を設定する際に、伝送された信号の特定の信号周波数を検出し、この周波数に対する信号レベルの減衰特性から、イコライザ回路の特性を設定している。しかし、これから伝送路の全ての周波数に対する周波数特性を得ることは難しく、信号伝送に必要とされる周波数帯域の全てで、特性を満足させることは困難である。【解決手段】伝送路を介して受信した信号の波形歪みを補正して出力するイコライザ回路の、イコライザ特性を設定するイコライザ特性設定回路において、信号伝送に必要とされる周波数帯域内の異なる複数周波数において繰り返し波形の信号を出力する信号発生手段4と、前記信号発生手段4からの信号を前記伝送路を介して受信するイコライザ回路K1と、前記イコライザ回路の出力波形に基づき前記伝送路の周波数特性を補償するイコライザ特性を選択し前記イコライザ回路に設定するイコライザ特性調整手段5を備えた。【選択図】図１
2007235797.tif 000002
【特許請求の範囲】
【請求項１】
伝送路を介して受信した信号の波形歪みを補正して出力するイコライザ回路の、イコライザ特性を設定するイコライザ特性設定回路において、
信号伝送に必要とされる周波数帯域内の異なる複数周波数において繰り返し波形の信号を出力する信号発生手段と、
前記信号発生手段からの信号を前記伝送路を介して受信するイコライザ回路と、
前記イコライザ回路の出力波形に基づき前記伝送路の周波数特性を補償するイコライザ特性を選択し前記イコライザ回路に設定するイコライザ特性調整手段を備えたことを特徴とするイコライザ特性設定回路。
【請求項２】
前記イコライザ特性調整手段は、
複数のイコライザ特性を記憶するイコライザ特性記憶手段と、
前記イコライザ回路の出力波形の振幅を前記複数周波数において検出する振幅検出手段と、
前記振幅検出手段で検出された前記振幅に基づき、前記伝送路の周波数特性を前記複数周波数において許容幅内に補償できる１つのイコライザ特性を、前記イコライザ特性記憶手段に記憶された前記複数のイコライザ特性から選択して前記イコライザ回路に設定する判定／調整回路を備えたことを特徴とする請求項１に記載のイコライザ特性設定回路。
【請求項３】
前記判定／調整回路は、受信された全ての周波数の信号において、前記イコライザ回路から出力される信号振幅が目標周波数特性に対して所定の許容幅内に入るように補償できるイコライザ特性を選択することを特徴とする請求項２に記載のイコライザ特性設定回路。
【請求項４】
前記振幅検出手段は、前記イコライザ回路の出力波形をそれぞれ異なる所定の基準電圧値と比較する複数の比較手段を備えたことを特徴とする請求項２又は請求項３に記載のイコライザ特性設定回路。
【請求項５】
信号発生手段は順次異なる周波数の信号を出力し、
前記イコライザ特性調整手段は、次に受信される周波数の信号において選択するイコライザ特性を先に選択したイコライザ特性の中から更に選択することを特徴とする請求項１乃至請求項４のいずれかに記載のイコライザ特性設定回路。
【請求項６】
信号の波形歪みを補正して出力するイコライザ回路のイコライザ特性設定方法において、
複数の異なる周波数の信号波形を伝送路を介してイコライザ回路で受信し、
前記イコライザ回路から出力される波形に基づき、前記伝送路の周波数特性を前記複数の異なる周波数の全てにおいて補償するイコライザ特性を、予め用意した複数のイコライザ特性から選択して前記イコライザ回路に設定することを特徴とするイコライザ特性設定方法。
【請求項７】
前記予め用意した複数のイコライザ特性は予め記憶手段に記憶され、
前記イコライザ回路から出力される波形に基づき、前記記憶された複数のイコライザ特性の中から選択して前記イコライザ回路に設定することを特徴とする請求項６に記載のイコライザ特性設定回路。
【請求項８】
受信された全ての周波数の信号において、前記イコライザ回路から出力される信号振幅が所定の許容幅内に入るよう補償できるイコライザ特性を選択することを特徴とする請求項６又は請求項７に記載のイコライザ特性設定回路。
【請求項９】
前記イコライザ回路の出力波形をそれぞれ異なる所定の基準電圧値と比較して前記イコライザ回路から出力される信号振幅を判定することを特徴とする請求項８に記載のイコライザ特性設定回路。
【請求項１０】
順次異なる周波数の信号を前記イコライザ回路で受信し、
次に受信される周波数の信号において選択するイコライザ特性を先に選択したイコライザ特性の中から更に選択することを特徴とする請求項６乃至請求項１０のいずれか一項に記載のイコライザ特性設定回路。
【発明の詳細な説明】
【技術分野】
【０００１】
本発明はイコライザ特性設定回路、及びイコライザ特性設定方法に係り、特に高速信号伝送において信号波形整形に使用されるイコライザ回路を、伝送周波数特性とイコライザ周波数特性の総合特性が各周波数で均一になるように設定できるイコライザ特性設定回路、及びイコライザ特性設定方法に関する。
【背景技術】
【０００２】
従来、電子装置などの高速信号伝送において、伝送路による波形の減衰が大きい場合、受信側にイコライザ回路を挿入して波形を整形することが行われていた。この場合、イコライザ回路は、伝送路で受けた伝送歪みを打ち消すような周波数特性を持たせるようにしている。
【０００３】
この種の従来技術として、例えば、特開平１−２４５６２６号公報で提案された減衰等化装置、特開２００４−１７２６６０号公報で提案されたイコライザ回路などがある。
【０００４】
特開平１−２４５６２６号公報で提案された技術は、電話回線などで生じる減衰歪みを等化するために、伝送路を介して受信された信号の伝送路で生じる減衰歪みを、信号周波数と信号レベルから推定し、推定された減衰歪みを最適に等化する減衰等化特性を選択して減衰等化器（イコライザ回路）に設定するものである。
【０００５】
また、特開２００４−１７２６６０号公報で提案された技術は、受信信号の受信レベルに基づいてフィルタのゲインを調整し、該フィルタを伝送路における減衰特性と相反する周波数特性を有するようにして、伝送路を介して受信された信号の周波数に対する信号レベルがほぼ一定となるようにしている。
【特許文献１】特開平１−２４５６２６号公報
【特許文献２】特開２００４−１７２６６０号公報
【発明の開示】
【発明が解決しようとする課題】
【０００６】
上記従来技術は、イコライザ回路の特性を設定する際に、伝送された信号の特定の信号周波数を検出し、この周波数に対する信号レベルの減衰特性から、全ての周波数に対する減衰特性を推定して、これを補償するような特性になるようにイコライザ回路の特性を設定している。この従来技術の、受信された信号周波数以外の周波数に対する減衰特性は、あくまで推定であり、したがって、信号伝送に必要とされる周波数帯域の全てで、伝送路における減衰特性を補償する相反する周波数特性を得ることができるとは限らない。伝送路の周波数特性は個々に異なっているので、特定の信号周波数のみで減衰特性を調べ、これから伝送路の全ての周波数に対する周波数特性を得ることは難しく、したがって、信号伝送に必要とされる周波数帯域の全てで、特性を満足させることは困難である。
【０００７】
本願発明は、上記従来技術の問題に鑑み、信号波形整形に使用されるイコライザ回路を、伝送周波数特性とイコライザ周波数特性の総合特性が各周波数で均一になるように設定できるイコライザ特性設定回路、及びイコライザ特性設定方法を提供することにある。
【課題を解決するための手段】
【０００８】
本発明の請求項１に係る発明の要旨は、伝送路を介して受信した信号の波形歪みを補正して出力するイコライザ回路の、イコライザ特性を設定するイコライザ特性設定回路において、信号伝送に必要とされる周波数帯域内の異なる複数周波数において繰り返し波形の信号を出力する信号発生手段と、前記信号発生手段からの信号を前記伝送路を介して受信するイコライザ回路と、前記イコライザ回路の出力波形に基づき前記伝送路の周波数特性を補償するイコライザ特性を選択し前記イコライザ回路に設定するイコライザ特性調整手段を備えたことを特徴とするイコライザ特性設定回路に存する。
また、本発明の請求項２に係る発明の要旨は、前記イコライザ特性調整手段は、複数のイコライザ特性を記憶するイコライザ特性記憶手段と、前記イコライザ回路の出力波形の振幅を前記複数周波数において検出する振幅検出手段と、前記振幅検出手段で検出された前記振幅に基づき、前記伝送路の周波数特性を前記複数周波数において許容幅内に補償できる１つのイコライザ特性を、前記イコライザ特性記憶手段に記憶された前記複数のイコライザ特性から選択して前記イコライザ回路に設定する判定／調整回路を備えたことを特徴とする請求項１に記載のイコライザ特性設定回路に存する。
また、本発明の請求項３に係る発明の要旨は、前記判定／調整回路は、受信された全ての周波数の信号において、前記イコライザ回路から出力される信号振幅が目標周波数特性に対して所定の許容幅内に入るように補償できるイコライザ特性を選択することを特徴とする請求項２に記載のイコライザ特性設定回路に存する。
また、本発明の請求項４に係る発明の要旨は、前記振幅検出手段は、前記イコライザ回路の出力波形をそれぞれ異なる所定の基準電圧値と比較する複数の比較手段を備えたことを特徴とする請求項２又は請求項３に記載のイコライザ特性設定回路に存する。
また、本発明の請求項５に係る発明の要旨は、信号発生手段は順次異なる周波数の信号を出力し、前記イコライザ特性調整手段は、次に受信される周波数の信号において選択するイコライザ特性を先に選択したイコライザ特性の中から更に選択することを特徴とする請求項１乃至請求項４のいずれかに記載のイコライザ特性設定回路に存する。
また、本発明の請求項６に係る発明の要旨は、信号の波形歪みを補正して出力するイコライザ回路のイコライザ特性設定方法において、複数の異なる周波数の信号波形を伝送路を介してイコライザ回路で受信し、前記イコライザ回路から出力される波形に基づき、前記伝送路の周波数特性を前記複数の異なる周波数の全てにおいて補償するイコライザ特性を、予め用意した複数のイコライザ特性から選択して前記イコライザ回路に設定することを特徴とするイコライザ特性設定方法に存する。
また、本発明の請求項７に係る発明の要旨は、前記予め用意した複数のイコライザ特性は予め記憶手段に記憶され、前記イコライザ回路から出力される波形に基づき、前記記憶された複数のイコライザ特性の中から選択して前記イコライザ回路に設定することを特徴とする請求項６に記載のイコライザ特性設定回路に存する。
また、本発明の請求項８に係る発明の要旨は、受信された全ての周波数の信号において、前記イコライザ回路から出力される信号振幅が所定の許容幅内に入るよう補償できるイコライザ特性を選択することを特徴とする請求項６又は請求項７に記載のイコライザ特性設定回路に存する。
また、本発明の請求項９に係る発明の要旨は、前記イコライザ回路の出力波形をそれぞれ異なる所定の基準電圧値と比較して前記イコライザ回路から出力される信号振幅を判定することを特徴とする請求項８に記載のイコライザ特性設定回路に存する。
また、本発明の請求項１０に係る発明の要旨は、順次異なる周波数の信号を前記イコライザ回路で受信し、次に受信される周波数の信号において選択するイコライザ特性を先に選択したイコライザ特性の中から更に選択することを特徴とする請求項６乃至請求項１０のいずれか一項に記載のイコライザ特性設定回路に存する。
【発明の効果】
【０００９】
本発明によれば、信号波形整形に使用されるイコライザ回路を、伝送周波数特性とイコライザ周波数特性の総合特性が各周波数で均一になるように設定できるイコライザ特性設定回路、及びイコライザ特性設定方法を提供することができる。
【発明を実施するための最良の形態】
【００１０】
以下、図面を参照して本発明の実施の形態について詳細に説明する。
[第１の実施形態]
【００１１】
図１は、本発明の実施の形態であるイコライザ特性設定回路の一例である。
【００１２】
図１において、１はイコライザ特性設定回路を示している。また、２は送信回路部、３は受信回路部である。
【００１３】
４はパルス発生部であり、基本周波数ｆ１の１倍、１／２倍、１／４倍、・・・の繰り返し信号を生成する複数のフリップフロップＦ１、Ｆ２、、・・・Ｆｎで構成された信号発生回路と、この信号発生回路の出力の１つを選択して出力する選択回路ＳＬを備える。
【００１４】
Ｆ１は基本周波数ｆ１を生成するフリップフロップであり、反転出力端子がデータ入力端子に接続され、クロック端子に基本周波数ｆ１を決定するクロック信号が入力され、出力端子は選択回路ＳＬの入力に接続されている。
【００１５】
Ｆ２はフリップフロップＦ１の出力周波数を１／２に分周するフリップフロップであり、反転出力端子がデータ入力端子に接続され、クロック端子にフリップフロップＦ１の出力端子が接続され、出力端子は選択回路ＳＬの入力に接続されている。
【００１６】
ＦｎはフリップフロップＦｎ−１の出力周波数を１／２に分周するフリップフロップであり、反転出力端子がデータ入力端子に接続され、クロック端子にフリップフロップＦｎ−１の出力端子が接続され、出力端子は選択回路ＳＬの入力に接続されている。
【００１７】
このように接続されたフリップフロップＦ１、Ｆ２、・・・Ｆｎは、それぞれ基本周波数ｆ１の１倍、１／２倍、１／４倍、・・・の繰り返し信号を生成する信号発生回路を構成する。
【００１８】
選択回路ＳＬはこれらフリップフロップＦ１、Ｆ２、・・・Ｆｎの１つの出力を、選択信号が入力されることにより選択して出力する。選択回路ＳＬの選択信号は後述するようにＥＱ特性調整部５の処理の進行に合わせて切り替わる。
【００１９】
５はパルス発生部４からの信号を受信して伝送路Ｌの特性を判定し、ＥＱ（イコライザ）回路Ｋ１の特性を設定するＥＱ（イコライザ）特性調整部である。
【００２０】
送信回路部２と受信回路部３は伝送路Ｌにより送信端ＴＭ１、受信端ＴＭ２間が接続されている。
【００２１】
また、ＥＱ特性調整部５は比較器Ｄ１、Ｄ２、・・・ＤＮ、判定／調整回路Ｋ２などから構成されている。
【００２２】
ＥＱ回路Ｋ１は、受信端ＴＭ２を介して伝送路Ｌからの信号を受信し、そのイコライザ特性によって補正された信号をバッファ回路ＢＦに出力する。バッファ回路ＢＦはその出力側に接続された図示していない回路部に信号を出力する。
【００２３】
また、ＥＱ回路Ｋ１の出力は比較器Ｄ１、Ｄ２、・・・ＤＮにも出力される。
【００２４】
比較器Ｄ１、Ｄ２、・・・ＤＮのそれぞれには、各々比較のための基準電圧、すなわち比較器Ｄ１には基準電圧Ｖref１が、比較器Ｄ２には基準電圧Ｖref２が、・・・比較器ＤＮにはＶrefＮが入力されている。そしてこれらの基準電圧は、ＥＱ回路Ｋ１の出力電圧と比較される。
【００２５】
比較器Ｄ１、Ｄ２、・・・ＤＮの出力は判定／調整回路Ｋ２に入力されている。判定／調整回路Ｋ２は比較器Ｄ１、Ｄ２、・・・ＤＮの出力状態から、ＥＱ回路Ｋ１の出力振幅を判定し、ＥＱ回路Ｋ１の特性として許容できる特性を、予め記憶されている複数の特性から選択する。この選択処理は信号伝送に必要とされる周波数帯域内をパルス発生部４からの周波数で掃引して行い、許容できる特性として最終的に残った特性から１つを選択してＥＱ回路Ｋ１に設定するようになっている。このＥＱ回路Ｋ１の特性設定処理に関しては図４を参照して後述する。
【００２６】
基準電圧Ｖref１、Ｖref２・・・ＶrefＮのレベルが図２に例示されている。図２では、ＥＱ回路Ｋ１の出力が、振幅値の異なる３種類の信号を例に取り、波形（ａ）、波形（ｂ）、波形（ｃ）として描いてある。パルス発生部４からの信号は、デジタルデータなどの信号の場合、矩形パルスとなるが、伝送路Ｌの伝送特性によって波形歪みを生じるので、波形（ａ）、波形（ｂ）、波形（ｃ）は疑似正弦波として描いてある。
【００２７】
図２により比較器Ｄ１、Ｄ２、・・・ＤＮの動作を説明する。
【００２８】
例えば、ＥＱ回路Ｋ１から波形（ａ）の信号が出力されたとする。この場合、比較器Ｄ１では波形（ａ）と基準電圧Ｖref１が比較されるが、波形（ａ）は基準電圧Ｖref１を上回ることがないので比較器Ｄ１の出力は常に０となる。同様に比較器Ｄ２、Ｄ３の出力は常に０となる。比較器Ｄ４では波形（ａ）の波高値が基準電圧Ｖref４をやや上回る部分があるので、この上回った部分で１が出力され、その他の部分で０が出力される。このように、比較器Ｄ４では１と０が出力される。同様に比較器Ｄ５、Ｄ６の出力は１と０が出力される。比較器Ｄ７では波形（ａ）と基準電圧Ｖref７が比較されるが、波形（ａ）は常に基準電圧Ｖref７を上回っているので、比較器Ｄ７からは常に１が出力される。同様に比較器Ｄ８、Ｄ９の出力は常に１となる。
【００２９】
また、ＥＱ回路Ｋ１から波形（ｂ）の信号が出力されたとする。この場合、比較器Ｄ１では波形（ｂ）と基準電圧Ｖref１が比較されるが、波形（ｂ）は基準電圧Ｖref１を上回ることがないので比較器Ｄ１の出力は常に０となる。同様に比較器Ｄ２の出力は常に０となる。比較器Ｄ３では波形（ｂ）の波高値が基準電圧Ｖref３をやや上回る部分があるので、この上回った部分で１が出力され、その他の部分で０が出力される。このように、比較器Ｄ３では１と０が出力される。同様に比較器Ｄ４〜Ｄ７の出力は１と０が出力される。比較器Ｄ８では波形（ｂ）と基準電圧Ｖref８が比較されるが、波形（ｂ）は常に基準電圧Ｖref８を上回っているので、比較器Ｄ８からは常に１が出力される。同様に比較器Ｄ９の出力は常に１となる。
【００３０】
また、ＥＱ回路Ｋ１から波形（ｃ）の信号が出力されたとする。この場合、比較器Ｄ１では波形（ｃ）と基準電圧Ｖref１が比較されるが、波形（ｃ）は基準電圧Ｖref１を上回ることがないので比較器Ｄ１の出力は常に０となる。比較器Ｄ２では波形（ｃ）の波高値が基準電圧Ｖref２をやや上回る部分があるので、この上回った部分で１が出力され、その他の部分で０が出力される。このように、比較器Ｄ２では１と０が出力される。同様に比較器Ｄ３〜Ｄ８の出力は１と０が出力される。比較器Ｄ９では波形（ｃ）と基準電圧Ｖref９が比較されるが、波形（ｃ）は常に基準電圧Ｖref９を上回っているので、比較器Ｄ９からは常に１が出力される。
【００３１】
このように、ＥＱ回路Ｋ１から入力される信号の振幅値のレベルにより、比較器Ｄ１〜Ｄ９の出力が異なり、この信号を入力した判定／調整回路Ｋ２はＥＱ回路Ｋ１の信号レベル、したがって、伝送路Ｌのゲインを判定することができる。すなわち、比較器Ｄ１、Ｄ２、・・・Ｄ９のうち、その出力が０及び１の両方を出力している比較器と常に０又は１を出力している比較器を判別することにより、ＥＱ回路Ｋ１の出力振幅がこれらの比較器の基準電圧のどの範囲にあるかが判定できる。
【００３２】
図３は、本実施の形態におけるＥＱ回路Ｋ１の特性設定処理の概要を説明するものである。
【００３３】
図３において、１０は伝送路Ｌの周波数特性を示している。周波数特性１０上の点１６は周波数ｆｍ＋１でのゲイン、点１７は周波数ｆｍでのゲイン、点１８は周波数ｆｍ−１でのゲインを示している。１１は信号伝送に必要とされる周波数帯域の上限周波数（＝基本周波数ｆ１）を示している。１２は、目標とする伝送路ＬとＥＱ回路Ｋ１の合成した目標周波数特性であり、伝送路ＬとＥＱ回路Ｋ１の合成した周波数特性がフラットな特性となることを目標とする。例えば点１７で示される周波数ｆｍでの伝送路Ｌによるゲインが、伝送路ＬとＥＱ回路Ｋ１の合成したゲインとして、矢印１４でゲイン補正を示すように、目標周波数特性１２上の点１９に来るようにＥＱ回路Ｋ１の特性を設定することにある。目標周波数特性１２は許容できる最低のゲインである許容幅下限ラインを示している。
【００３４】
本実施の形態では、伝送路Ｌの周波数特性を補正するために、ＥＱ回路Ｋ１に設定するイコライザ特性の複数の候補を、判定／調整回路Ｋ２内に予め記憶して用意しているが、実際の伝送路Ｌの周波数特性は複雑な周波数特性となっている場合が多いので、例えば周波数ｆｍで理想的に設定できても他の周波数の点が目標周波数特性１２上に設定されるとは限らない。信号伝送に必要とされる周波数帯域内での全ての周波数において目標周波数特性１２となるように補正できるイコライザ特性を選択することは困難である。そこで、本実施の形態では所定の許容幅をもって選択する。この場合の許容幅を１５で示す。１３は許容できるゲインの許容幅上限ラインを示している。なお、許容幅１５は調整可能になっている。
【００３５】
次に、図４を参照して、本実施の形態のイコライザ特性設定を説明する。
【００３６】
本処理の前に、ＥＱ回路Ｋ１に設定するイコライザ特性の候補が予め複数用意されて、判定／調整回路Ｋ２内に記憶されている。
【００３７】
まず、ステップＳ１において、ＥＱ回路Ｋ１の特性をデフォルト値に初期設定する。例えば信号伝送に必要とされる周波数帯域内での全ての周波数において、ＥＱ回路Ｋ１の特性がフラットなゲイン特性となるように設定する。フラットなゲイン特性とすることにより伝送路Ｌの特性との対応が取り易くなるが、対応をとるときに変換を施すようにすればこれに限定されないで実施することができる。
【００３８】
次に、ステップＳ２において、パルス発生部４のフリップフロップＦ１からの出力を選択回路ＳＬで選択して、パルス発生部４から基本周波数ｆ１を出力し、伝送路Ｌを介してＥＱ回路Ｋ１でこれを受信する。
【００３９】
ステップＳ３において、ＥＱ回路Ｋ１からの信号を比較器Ｄ１〜ＤＮで比較し、この比較器Ｄ１〜ＤＮの出力を入力した判定／調整回路Ｋ２は、比較器Ｄ１〜ＤＮの出力状態からＥＱ回路Ｋ１の出力の大きさを判定する。
【００４０】
ステップＳ４において、判定／調整回路Ｋ２は、ＥＱ回路Ｋ１の出力の大きさが許容幅１５に入るゲインを有するイコライザ特性を、予め記憶しておいた複数の特性の中から選択する。この場合、周波数ｆ１においてＥＱ回路Ｋ１の出力が許容幅１５に入る複数のイコライザ特性が選択される。
【００４１】
次に、ステップＳ５において、パルス発生部４から次の周波数ｆ２を出力し、伝送路Ｌを介してＥＱ回路Ｋ１に伝送する。これは、フリップフロップＦ２の出力を選択させる選択信号を、ステップＳ４の処理が終了したときに判定／調整回路Ｋ２からセレクタＳＬに出力させるようにして行うことができる。
【００４２】
ステップＳ６において、ＥＱ回路Ｋ１の出力の大きさが許容幅１５に入るイコライザ特性を、先のステップＳ４で選択された特性の中から選択する。このとき選択される特性は周波数ｆ１とｆ２の両方の周波数においてＥＱ回路Ｋ１の出力が許容幅１５に入るイコライザ特性である。
【００４３】
ステップＳ７において、パルス発生部４からの周波数が全ての周波数ｆ１〜ｆｎについて実行したか否かがチェックされる。周波数が全ての周波数について実行していない場合にはステップＳ５に戻り、全ての周波数について実行するまで処理が継続される。このときステップＳ５〜Ｓ７が繰り返し実行され、ステップＳ６において、実行された周波数ｆ１、ｆ２・・・の全てについてＥＱ回路Ｋ１の出力が許容幅１５に入るイコライザ特性が残っていくように処理されることになる。
【００４４】
ステップＳ７において、全ての周波数について実行されたと判断されたときはステップＳ８に進む。ステップＳ８では、最終的に残った許容幅１５に入るイコライザ特性があるか否かがチェックされる。
【００４５】
ステップＳ７において、残った特性がないと判断されたときはステップＳ９に進み、許容幅１５を所定幅だけ広げてステップＳ２に戻る。これにより、次善の特性選択処理が継続され、ステップＳ８で残った特性が有ると判断されるまで繰り返し実行される。
【００４６】
ステップＳ８で残った特性がないと判断された場合、ステップＳ９で設定される許容幅１５は順次広げられていくが、この幅に上限を設けて、この上限の許容幅１５でもステップＳ８で最終的に残る特性がないと判断されたときには、ＥＱ回路Ｋ１に適正なイコライザ特性を設定できない旨をアラーム表示、あるいは警告音を発するようにして処理を終了してもよい。
【００４７】
また、ステップＳ８で最終的に残る特性が数多くあるときには、適度な数の特性が残るようにステップＳ９で設定される許容幅１５を狭めていくことも考えられる。
【００４８】
ステップＳ８において、最終的に残った特性があると判断されたときは、ステップＳ１０に進む。ステップＳ８では最終的に残った特性の中から１つの特性を選択してＥＱ回路Ｋ１に設定する。この選択は、任意の１つを選択しても良いし、特定の順番のもの（例えば最初に選択された特性）を選択しても良い。また、伝送周波数特性とイコライザ周波数特性の総合特性が、各周波数において目標周波数特性１２からどの程度ずれているかを検証して、ずれ量が最小のものを選択してもよい。
【００４９】
この最終的に残ったイコライザ特性がＥＱ回路Ｋ１に設定されたとき、伝送路ＬとＥＱ回路Ｋ１の総合された周波数特性が目標周波数特性に近似されたものとなる。したがって、ＥＱ回路Ｋ１から波形歪みのない信号を得ることができる。
【００５０】
なお、イコライザ特性調整が終了した後は、パルス発生部４と伝送路Ｌは切り離され、代わりに信号を送信する制御回路が接続され、ＥＱ回路Ｋ１を介してバッファ回路ＢＦの先に接続された図示していない回路部とデータの送受信が行われるものである。ここで、送信回路部２はパルス発生部４のみを搭載したものとし、イコライザ特性調整が終了した後に取り外すようにしてもよいが、図示しない他の制御回路部と共に搭載されたものとしてもよい。この場合、イコライザ特性調整が終了した後にパルス発生部４からの出力と他の制御回路部からの出力が選択回路ＳＬで切り換えられるようにすればよい。
【００５１】
以上の実施の形態では、パルス発生部４からの周波数を基本周波数ｆ１から順次減少するようにしたが、これは任意の順番で実施しても良い。また、パルス発生部４はフリップフロップＦ１〜Ｆｎで構成したが、他の構成による発振器とすることもできる。また、ＥＱ回路Ｋ１の信号レベルを検出するために比較器Ｄ１〜ＤＮを使用したが、ピーク電圧検出回路により最大値を検出し信号レベルを検出するようにしても良い。
【００５２】
以上、具体的な実施の形態により本発明を説明したが、本発明は上記実施の形態に限定されず、本発明の要旨を逸脱しない範囲で変形して実施できることは言うまでもない。
【産業上の利用可能性】
【００５３】
本発明は、電子装置内の信号伝送路、電子装置間の信号伝送路による信号の波形歪みを改善するイコライザ回路（等化装置）に利用できる。
【図面の簡単な説明】
【００５４】
【図１】本発明の実施の形態による、イコライザ特性設定回路の構成図である。
【図２】本発明の実施の形態による、ＥＱ回路の出力波形の例を示す図である。
【図３】本発明の実施の形態による、イコライザ特性設定の概念を示す図である。
【図４】本発明の実施の形態による、イコライザ特性設定回路の動作フローチャートである。
【符号の説明】
【００５５】
１・・・イコライザ特性設定回路
２・・・送信回路部
３・・・受信回路部
４・・・パルス発生部
５・・・ＥＱ特性調整部（イコライザ特性調整部）
１０・・・伝送路Ｌの周波数特性
１１・・・信号伝送に必要とされる周波数帯域の上限周波数
１２・・・目標周波数特性（許容幅下限ライン）
１３・・・許容幅上限ライン
１４・・・ゲイン補正を示す矢印
１５・・・許容幅
１６〜１８・・・周波数特性１０上の点
１９・・・目標周波数特性１２上の点
Ｆ１〜Ｆｎ・・・フリップフロップ
ＳＬ・・・選択回路
Ｋ１・・・ＥＱ回路（イコライザ回路）
Ｋ２・・・判定／調整回路
Ｄ１〜ＤＮ・・・比較器
ＢＦ・・・バッファ回路
Ｖref１〜ＶrefＮ・・・基準電圧
ＴＭ１・・・送信端
ＴＭ２・・・受信端
【図１】
2007235797.tif 000003
【図２】
2007235797.tif 000004
【図３】
2007235797.tif 000005
【図４】
2007235797.tif 000006